(57)【要約】【課題】簡易な構造で取り付け位置を調整することができるエレベーターのレールブラケット及びエレベーターを提供する。【解決手段】レールブラケット１０は、壁側固定部材１１と、レール側固定部材１２と、固定ボルト１３と、調整ライナ１４と、を備えている。壁側固定部材１１は、上下方向の上方に向けて突出する壁側側面部２３を有している。レール側固定部材１２は、壁側側面部２３と対向するレール側側面部３３を有している。壁側側面部２３及びレール側側面部２３のうち少なくとも一方には、対向方向Ｘに沿って延在し、かつ固定ボルト１３が挿入される調整用長孔２４が形成されている。調整ライナ１４は、壁側側面部２３とレール側側面部３３の間に介在される。【選択図】図４
2020189707.tif 000002
【特許請求の範囲】
【請求項１】
昇降路の壁面に固定される壁側固定部材と、
ガイドレールに固定されると共に、前記壁側固定部材に接続されるレール側固定部材と、
前記壁側固定部材と前記レール側固定部材を締結固定する固定ボルトと、
前記壁側固定部材と前記レール側固定部材との間に介在される調整ライナと、を備え、
前記壁側固定部材は、上下方向の上方又は下方に向けて突出する壁側側面部を有し、
前記レール側固定部材は、前記壁側側面部と対向するレール側側面部を有し、
前記壁側側面部及び前記レール側側面部のうち少なくとも一方には、前記壁面と前記ガイドレールが対向する対向方向に沿って延在し、かつ前記固定ボルトが挿入される調整用長孔が形成され、
前記調整ライナは、前記壁側側面部と前記レール側側面部の間に介在される
エレベーターのレールブラケット。
【請求項２】
前記壁側固定部材は、
前記壁面に固定される壁側固定部と、
前記壁側固定部から連続し、前記壁側側面部が設けられた壁側接続部と、を有し、
前記レール側固定部材は、
前記ガイドレールに固定されるレール側固定部と、
前記レール側固定部から連続し、前記壁側接続部と重なり合うと共に、前記レール側側面部が設けられたレール側接続部と、を有する
請求項１に記載のエレベーターのレールブラケット。
【請求項３】
前記壁側側面部は、前記壁側接続部における前記対向方向と直交し、かつ上下方向とも直交する幅方向の両端部に設けられ、
前記レール側側面部は、前記レール側接続部における前記幅方向の両端部に設けられる
請求項２に記載のエレベーターのレールブラケット。
【請求項４】
前記壁側側面部は、前記壁側接続部における前記幅方向の両端部から上下方向の上方に向けて突出し、
前記レール側側面部は、前記レール側接続部における前記幅方向の両端部から上下方向の上方に向けて突出する
請求項３に記載のエレベーターのレールブラケット。
【請求項５】
前記壁側側面部は、前記壁側接続部の両端部を折り曲げることで形成され、
前記レール側側面部は、前記レール側接続部の両端部を折り曲げることで形成される
請求項３に記載のエレベーターのレールブラケット。
【請求項６】
前記調整ライナには、前記固定ボルトが挿通する切り欠きが形成されており、前記固定ボルトにより前記壁側固定部材及び前記レール側固定部材に締結固定される
請求項１に記載のエレベーターのレールブラケット。
【請求項７】
前記壁側固定部材は、
前記壁面に固定される壁側固定部と、
前記壁側固定部から連続し、水平方向と平行に配置され、前記壁側側面部が設けられた壁側接続部と、を有し、
前記レール側固定部材は、
前記ガイドレールに固定されるレール側固定部と、
前記レール側固定部から連続し、水平方向と平行に配置され、前記壁側接続部に載置されると共に、前記レール側側面部が設けられたレール側接続部と、を有し、
前記壁側側面部は、前記壁側接続部における前記対向方向と直交し、かつ上下方向とも直交する幅方向の両端部を上下方向の上方に向けて折り曲げることで形成され、
前記レール側側面部は、前記レール側接続部における前記幅方向の両端部を上下方向の上方に向けて折り曲げることで形成され、
前記調整ライナには、前記固定ボルトが挿通する切り欠きが形成されており、前記固定ボルトにより前記壁側固定部材及び前記レール側固定部材に締結固定される
請求項１に記載のエレベーターのレールブラケット。
【請求項８】
昇降路に立設するガイドレールと、
前記ガイドレールに昇降可能に支持される昇降体と、
前記ガイドレールを前記昇降路に固定するレールブラケットと、を備え、
前記レールブラケットは、
前記昇降路の壁面に固定される壁側固定部材と、
ガイドレールに固定されると共に、前記壁側固定部材に接続されるレール側固定部材と、
前記壁側固定部材と前記レール側固定部材を締結固定する固定ボルトと、
前記壁側固定部材と前記レール側固定部材との間に介在される調整ライナと、を備え、
前記壁側固定部材は、上下方向の上方又は下方に向けて突出する壁側側面部を有し、
前記レール側固定部材は、前記壁側側面部と対向するレール側側面部を有し、
前記壁側側面部及び前記レール側側面部のうち少なくとも一方には、前記壁面と前記ガイドレールが対向する対向方向に沿って延在し、かつ前記固定ボルトが挿入される調整用長孔が形成され、
前記調整ライナは、前記壁側側面部と前記レール側側面部の間に介在される
エレベーター。
【請求項９】
前記ガイドレールは、
前記レール側固定部材が固定される固定面部と、
前記昇降体が摺動する摺動部と、を有し、
前記昇降路には、複数の前記ガイドレールが立設し、
前記レールブラケットは、複数の前記ガイドレールのうち前記固定面部が前記昇降路と対向するガイドレールを前記昇降路に固定する
請求項８に記載のエレベーター。
【発明の詳細な説明】
【技術分野】
【０００１】
本発明は、ガイドレールを昇降路内に固定するエレベーターのレールブラケット及び、このレールブラケットを備えたエレベーターに関するものである。
【背景技術】
【０００２】
エレベーターは、乗りかごや釣合おもりを昇降可能に支持するガイドレールが昇降路内に立設されている。このガイドレールは、レールブラケットにより昇降路内に固定される。また、レールブラケットは、昇降路の壁面のうねりや傾きに応じて取り付け位置を調整できることが好ましい。
【０００３】
従来の、取り付け位置を調整可能なレールブラケットとしては、例えば、特許文献１に記載されているようなものがある。特許文献１には、降路の壁面に固定された台座と、台座に設置された可動板と、可動板に設置されたレール固定部材と、台座に回転軸を固定された位置決め部材とを備えた技術が記載されている。そして、特許文献１に記載された技術では、エレベーターのガイドレールを固定するレールブラケットに設置されたエレベータガイドレールの調整式固定装置において、位置決め部材によって可動板の位置を台座に対して調整可能としている。
【先行技術文献】
【特許文献】
【０００４】
【特許文献１】特開２０１３−１９３８５７号公報
【発明の概要】
【発明が解決しようとする課題】
【０００５】
しかしながら、特許文献１に記載された技術では、位置決め部材として複数のジャッキボルトや歯車等で位置決め部材が構成されており、部品点数が増加すると共に構造が複雑なものとなっていた。
【０００６】
本目的は、上記の問題点を考慮し、簡易な構造で取り付け位置を調整することができるエレベーターのレールブラケット及びエレベーターを提供することにある。
【課題を解決するための手段】
【０００７】
上記課題を解決し、目的を達成するため、エレベーターのレールブラケットは、壁側固定部材と、レール側固定部材と、固定ボルトと、調整ライナと、を備えている。壁側固定部材は、昇降路の壁面に固定される。レール側固定部材は、ガイドレールに固定されると共に、壁側固定部材に接続される。固定ボルトは、壁側固定部材とレール側固定部材を締結固定する。調整ライナは、壁側固定部材とレール側固定部材との間に介在される。
壁側固定部材は、上下方向の上方又は下方に向けて突出する壁側側面部を有している。レール側固定部材は、壁側側面部と対向するレール側側面部を有している。壁側側面部及びレール側側面部のうち少なくとも一方には、壁面とガイドレールが対向する対向方向に沿って延在し、かつ固定ボルトが挿入される調整用長孔が形成されている。そして、調整ライナは、壁側側面部とレール側側面部の間に介在される。
【０００８】
また、エレベーターは、昇降路に立設するガイドレールと、ガイドレールに昇降可能に支持される昇降体と、ガイドレールを前記昇降路に固定するレールブラケットと、を備えている。また、レールブラケットは、上述したレールブラケットが用いられる。
【発明の効果】
【０００９】
上記構成のエレベーターのレールブラケット及びエレベーターによれば、簡易な構造で取り付け位置を調整することができる。
【図面の簡単な説明】
【００１０】
【図１】実施の形態例にかかるエレベーターを示す概略構成図である。
【図２】実施の形態例にかかるエレベーターの平面図を示すもので、図２Ａは第１の例を示す平面図、図２Ｂは第２の例を示す平面図である。
【図３】実施の形態例にかかるレールブラケットを示す側面図である。
【図４】実施の形態例にかかるレールブラケットを示す平面図である。
【発明を実施するための形態】
【００１１】
以下、レールブラケット及びエレベーター実施の形態例について、図１〜図４を参照して説明する。なお、各図において共通の部材には、同一の符号を付している。
【００１２】
１．実施の形態例
１−１．エレベーターの構成
まず、実施の形態例（以下、「本例」という。）にかかるエレベーターの構成について、図１、図２Ａ及び図２Ｂを参照して説明する。
図１は、本例のエレベーターを示す概略構成図である。図２Ａ及び図２Ｂは、エレベーターを示す平面図である。
【００１３】
図１及び図２Ａに示すように、エレベーター１は、昇降路１００内を昇降する昇降体の一例を示す乗りかご１２０と、不図示の主ロープを介して乗りかご１２０に連結される昇降体の一例を示す釣合おもり１４０と、を備えている。また、エレベーター１は、一対のかご用ガイドレール１７０と、一対のおもり用ガイドレール１８０と、を備えている。
【００１４】
一対のかご用ガイドレール１７０と、一対のおもり用ガイドレール１８０は、昇降路１００内に立設されている。そして、一対のかご用ガイドレール１７０の摺動部１７１には、乗りかご１２０に設けたスライダ１３０が摺動する。これにより、一対のかご用ガイドレール１７０は、乗りかご１２０を昇降路１００内において昇降方向に昇降可能に支持する。同様に、一対のおもり用ガイドレール１８０は、不図示のスライダを介して釣合おもり１４０を昇降方向に昇降可能に支持する。
【００１５】
また、図２Ａに示すように、一対のおもり用ガイドレール１８０及び、このおもり用ガイドレール１８０に支持された釣合おもり１４０は、乗りかご１２０における出入り口１２１が設けられた正面部とは反対側の背面部に配置されている。
【００１６】
一対のかご用ガイドレール１７０は、固定面部１７２が昇降路１００の壁面１０１と対向している。そして、一対のかご用ガイドレール１７０は、後述する本例のレールブラケット１０によって昇降路１００の壁面１０１に固定されている。
【００１７】
一対のおもり用ガイドレール１８０のうち一方のおもり用ガイドレール１８０は、固定面部１８２が昇降路１００の壁面１０１と対向する。そして、固定面部１８２が壁面１０１と対向するおもり用ガイドレール１８０は、本例のレールブラケット１０によって壁面１０１に固定される。
【００１８】
なお、一対のおもり用ガイドレール１８０のうち残りの他方のおもり用ガイドレール１８０は、固定面部１８２が対向する壁面１０１から離れた位置に配置されている。また、他方のおもり用ガイドレール１８０は、その固定面部１８２が近傍の壁面１０１に対して直交する位置に配置されている。この他方のおもり用ガイドレール１８０は、他の例にかかるレールブラケット８０によって壁面１０１に固定される。
【００１９】
図２Ｂに示すエレベーター１Ｂでは、釣合おもり１４０が、乗りかご１２０における出入り口１２１が設けられた正面部と直交する側面部に対向して配置されている。一対のかご用ガイドレール１７０のうち一方のかご用ガイドレール１７０は、後述する本例のレールブラケット１０によって壁面１０１に固定される。同様に、一対のおもり用ガイドレール１８０のうち一方のおもり用ガイドレール１８０は、壁面１０１と対向し、後述する本例のレールブラケット１０によって壁面１０１に固定される。
【００２０】
また、一対のかご用ガイドレール１７０のうち残りの他方のかご用ガイドレール１７０と、一対のおもり用ガイドレール１８０のうち残りの他方のおもり用ガイドレール１８０は、互いに接近して配置される。そして、他方のかご用ガイドレール１７０と他方のおもり用ガイドレール１８０は、他の例にかかるレールブラケット９０によって連結され、かつ壁面１０１に固定されている。
【００２１】
１−２．レールブラケットの構成
次に、図３及び図４を参照して本例のレールブラケット１０について説明する。
図３は、レールブラケット１０を示す側面図、図４は、レールブラケット１０を示す平面図である。以下、かご用ガイドレール１７０とおもり用ガイドレール１８０を、単にガイドレール１７０、１８０と称す。
【００２２】
図３及び図４に示すように、レールブラケット１０は、壁側固定部材１１と、レール側固定部材１２と、固定ボルト１３と、調整ライナ１４とを備えている。壁側固定部材１１とレール側固定部材１２は、接続されて、固定ボルト１３により締結固定される。また、レールブラケット１０は、レール側固定部材１２を、ガイドレール１７０、１８０の固定面部１７２、１８２に固定するレールクリップ４１を備えている。
【００２３】
壁側固定部材１１及びレール側固定部材１２は、略平板状の部材を折り曲げることで形成されている。壁側固定部材１１は、壁側固定部２１と、壁側接続部２２と、２つの壁側側面部２３、２３とを有している。壁側固定部２１は、昇降路１００の壁面１０１にアンカーボルト５１を介して固定される。壁側固定部２１の一端部（本例では、上下方向の上端部）には、壁側接続部２２が略垂直に連続している。
【００２４】
壁側接続部２２は、略矩形状に形成されている。壁側固定部２１が壁面１０１に固定された際、壁側接続部２２は、壁側固定部２１から壁面１０１とガイドレール１７０、１８０の固定面部１７２、１８２が対向する対向方向Ｘに向けて突出し、水平方向と略平行に配置される。
【００２５】
壁側接続部２２における対向方向Ｘと直交し、かつ上下方向とも直交する幅方向Ｙの両端部には、壁側側面部２３、２３が略垂直に連続する。本例では、壁側側面部２３は、壁側接続部２２の端部から上下方向の上方に向けて略垂直に屈曲している。
【００２６】
壁側側面部２３には、調整用長孔２４が形成されている。調整用長孔２４は、壁側側面部２３における長手方向、本例では、対向方向Ｘに沿って延在する開口部である。この調整用長孔２４には、固定ボルト１３が挿入される。
【００２７】
レール側固定部材１２は、レール側固定部３１と、レール側接続部３２と、２つのレール側側面部３３、３３とを有している。レール側固定部３１には、ガイドレール１７０、１８０の固定面部１７２、１８２に固定するために、レールクリップ４１がレール固定ボルト５２を介して固定される。レール側固定部３１の一端部（本例では、上下方向の下端部）には、レール側接続部３２が略垂直に連続している。
【００２８】
レール側接続部３２は、略矩形状に形成されている。レール側固定部３１がガイドレール１７０、１８０に固定された際、レール側接続部３２は、レール側固定部３１から対向方向Ｘに向けて突出し、水平方向と略平行に配置される。レール側接続部３２における幅方向Ｙの長さは、壁側接続部２２の幅方向Ｙの長さよりも短く設定されている。そしれ、レール側接続部３２は、壁側接続部２２の上下方向の上面に重なり合う。
【００２９】
レール側接続部３２の幅方向Ｙの両端部には、レール側側面部３３が略垂直に連続する。本例では、レール側側面部３３は、レール側接続部３２の端部から上下方向の上方に向けて略垂直に屈曲している。
【００３０】
壁側接続部２２とレール側接続部３２とを重ね合わせた際、レール側側面部３３は、壁側側面部２３と対向する。また、レール側側面部３３には、固定孔３４が形成されている。固定孔３４は、壁側側面部２３に設けた調整用長孔２４を臨む。そして、固定孔３４には、固定ボルト１３が挿入される。
【００３１】
壁側接続部２２とレール側接続部３２とを重ね合わせた際、壁側側面部２３とレール側側面部３３との間には、間隙Ｓ１が形成される。この間隙Ｓ１には、複数の調整ライナ１４が配置される。すなわち、調整ライナ１４は、壁側側面部２３とレール側側面部３３の間に介在される。
【００３２】
調整ライナ１４は、略平板状に形成されている。調整ライナ１４には、切り欠き１４ａが設けられている。切り欠き１４ａは、調整ライナ１４における上下方向の下端部から上方に向けて形成されている。切り欠き１４ａには、固定ボルト１３が挿通する。
【００３３】
２．ガイドレールの据付作業
次に、上述した構成を有するレールブラケット１０を用いたガイドレール１７０、１８０の据付作業の一例について説明する。
【００３４】
まず、図３及び図４に示すように、レール側固定部材１２のレール側接続部３２を壁側固定部材１１の壁側接続部２２の上面に載置する。そして、レール側固定部材１２と壁側固定部材１１を固定ボルト１３によって仮固定する。これにより、壁側固定部材１１とレール側固定部材１２が接続される。
【００３５】
次に、仮固定されたレールブラケット１０を昇降路１００の壁面１０１に固定する。すなわち、壁側固定部材１１の壁側固定部２１を壁面１０１に重ね合わせ、アンカーボルト５１により壁側固定部２１を壁面１０１に固定する。
【００３６】
次に、レール側固定部材１２のレール側固定部３１に、ガイドレール１７０、１８０の固定面部１７２、１８２を重ね合わせる。そして、レールクリップ４１及びレール固定ボルト５２によってレール側固定部３１にガイドレール１７０、１８０を固定する。
【００３７】
この後、ガイドレール１７０、１８０の芯出し作業を行う。すなわち、壁側接続部２２上でレール側接続部３２を摺動させて、調整用長孔２４に対する固定ボルト１３の固定位置を調整する。これにより、対向方向Ｘに対するレールブラケット１０の取り付け位置を調整することができる。
【００３８】
また、壁側側面部２３とレール側側面部３３の間に形成された間隙Ｓ１に挿入される調整ライナ１４の枚数を調整したり、異なる厚さ寸法の調整ライナ１４を挿入したりする。これにより、幅方向Ｙに対するレールブラケット１０の取り付け位置を調整することができる。その結果、簡易な構造でレールブラケット１０の取り付け位置を調整することができる
【００３９】
なお、調整ライナ１４には、切り欠き１４ａが形成されている。そのため、固定ボルト１３を調整用長孔２４や固定孔３４に挿入した状態で、調整ライナ１４を固定ボルト１３に取り付けることができる。
【００４０】
また、調整ライナ１４は、上下方向の上方から壁側側面部２３及びレール側側面部３３の間に形成された間隙Ｓ１に挿入されると共に、切り欠き１４ａに固定ボルト１３が挿通される。これにより、調整ライナ１４がレールブラケット１０から抜け落ちることを防止することができる。
【００４１】
次に、ガイドレール１７０、１８０の芯出し作業及びレールブラケット１０の取り付け位置の調整作業が終了すると、固定ボルト１３を締め付ける。これにより、壁側固定部材１１とレール側固定部材１２が固定ボルト１３によって締結固定される。その結果、ガイドレール１７０、１８０の据付作業が完了する。
【００４２】
このように、本例のレールブラケット１０によれば、複数のジャッキボルトや歯車等を用いることなく、レールブラケット１０の取り付け位置の調整作業を容易に行うことができ、レールブラケット１０の構造の簡略化を図ることができる。さらに、溶接を行うことなく、壁側固定部材１１とレール側固定部材１２の固定を行うことができるため、レールブラケット１０の固定作業の簡略化を図ることもできる。
【００４３】
また、壁側側面部２３とレール側側面部３３の間に介在された調整ライナ１４も、固定ボルト１３により壁側固定部材１１及びレール側固定部材１２に締結固定される。これにより、調整ライナ１４を固定するための部材を別に設ける必要がなく、部品点数の削減を図ることができる。
【００４４】
ここで、エレベーター１が稼働し、乗りかご１２０や釣合おもり１４０がガイドレール１７０、１８０に沿って昇降移動した際に、レール側固定部材１２から壁側固定部材１１に対して幅方向Ｙへの荷重が作用する。これに対して、本例のレールブラケット１０では、壁側側面部２３とレール側側面部３３が幅方向Ｙで対向して配置されている。そのため、幅方向Ｙへの荷重は、壁側側面部２３とレール側側面部３３が受ける。その結果、レールブラケット１０の強度を確保することができ、乗りかご１２０や釣合おもり１４０の昇降移動の安定性を向上させることができる。
【００４５】
なお、上述しかつ図面に示した実施の形態に限定されるものではなく、特許請求の範囲に記載した発明の要旨を逸脱しない範囲内で種々の変形実施が可能である。
【００４６】
上述した実施の形態例では、レール側接続部３２を壁側接続部２２に載置する例を説明したが、これに限定されるものではなく、壁側接続部２２をレール側接続部３２に載置してもよい。さらに、調整用長孔２４を壁側側面部２３に形成したい例を説明したが、これに限定されるものではなく、レール側側面部３３に調整用長孔２４を形成し、壁側側面部２３に固定孔３４を形成してもよい。
【００４７】
また、壁側側面部２３及びレール側側面部３３を壁側接続部２２及びレール側接続部３２の幅方向Ｘの両端部に形成した例を説明したが、これに限定されるものではない。例えば、壁側側面部２３及びレール側側面部３３は、壁側接続部２２及びレール側接続部３２の幅方向Ｘの一端部にのみ形成されていてもよい。
【００４８】
さらに、壁側側面部２３及びレール側側面部３３をそれぞれ壁側接続部２２及びレール側接続部３２の両端部から上下方向の上方に突出する例を説明したが、これに限定されるものではない。例えば、壁側側面部２３及びレール側側面部３３を、壁側接続部２２及びレール側接続部３２の両端部から上下方向の下方に突出させてもよい。なお、調整ライナ１４が抜け落ちることを防止するためには、壁側側面部２３及びレール側側面部３３は、壁側接続部２２及びレール側接続部３２の両端部から上方に向けて突出することが好ましい。
【００４９】
また、壁側接続部２２及びレール側接続部３２の両端部から略垂直に折り曲げて、壁側側面部２３及びレール側側面部３３を形成する例を説明したが、これに限定されるものではない。例えば、壁側側面部２３及びレール側側面部３３を、壁側接続部２２及びレール側接続部３２の両端部に溶接によって取り付けてもよい。または、壁側固定部材１１及びレール側固定部材１２を鋳造や射出成型によって形成してもよい。
【００５０】
なお、鋳造や溶接よりも平板状の部材を折り曲げ加工により壁側側面部２３及びレール側側面部３３を形成する方法のほうが壁側固定部材１１及びレール側固定部材１２を容易に製造することができる。
【００５１】
なお、本明細書において、「平行」及び「直交」等の単語を使用したが、これらは厳密な「平行」及び「直交」のみを意味するものではなく、「平行」及び「直交」を含み、さらにその機能を発揮し得る範囲にある、「略平行」や「略直交」の状態であってもよい。
【符号の説明】
【００５２】
１、１Ｂ…エレベーター、  １０…レールブラケット、  １１…壁側固定部材、  １２…レール側固定部材、  １３…固定ボルト、  １４…調整ライナ、  ２１…壁側固定部、  ２２…壁側接続部、  ２３…壁側側面部、  ２４…調整用長孔、  ３１…レール側固定部、  ３２…レール側接続部、  ３３…レール側側面部、  ３４…固定孔、  ４１…レールクリップ、  ５１…アンカーボルト、  ５２…レール固定ボルト、  １００…昇降路、  １０１…壁面、  １２０…乗りかご、  １２１…出入り口、  １４０…釣合おもり、  １７０、１８０…ガイドレール、  １７１…摺動部、１７２、１８２…固定面部、  Ｓ１…間隙
【図１】
2020189707.tif 000003
【図２】
2020189707.tif 000004
【図３】
2020189707.tif 000005
【図４】
2020189707.tif 000006